(57)【要約】【課題】容器内の錠剤、またはカプセルを必要な量だけを一回の操作で取り出すことは容易ではなく、結局は必要以上の量を振り出して残りの錠剤、カプセルを再び容器の中に戻す不便さと不衛生さがあった。【解決手段】錠剤、またはカプセル容器に取り付けて用いる内蓋の平面のたとえば半分の面積を切り抜いて残る半分はそのままとし、上蓋を閉めた際に切り欠きをしない残る半分との空間はポケットの構造とする。容器を転倒させて正立位に戻すとそのポケットに容積に応じた数の錠剤、もしくはカプセルが載った状態になり、容易に所望数量を取り出せる。【選択図】  図５
2006036302.tif 000002
【特許請求の範囲】
【請求項１】
錠剤またはカプセルの容器に取り付けて用いる内蓋において、所望数量を簡単に取り出すために内蓋の一部を切り欠いて開口部とポケット部分を持つ構造とし、容器の天地を逆転した後、開口部側を上にポケット側を下に向けて持って該容器の天地を通常正立状態に戻して上蓋を取ると、ほぼ所定容積分に応じた錠剤またはカプセルの数量をポケットに残すことで、速やかに目的数量が取り出せるようにしたことを特徴とする錠剤またはカプセル容器の内蓋。
【発明の詳細な説明】
【技術分野】
【０００１】
本発明は錠剤またはカプセル（以下、錠剤、カプセルと記述する）容器の内蓋に関し、特に錠剤、カプセルの所望数量を取り出し易いような構造をもつ内蓋に関する。
【背景技術】
【０００２】
従来の錠剤、カプセル容器は、外蓋を取り外して、容器内の錠剤、カプセルを必要な量だけ掌等に振り出して服用していた。しかし、一回の操作で必要数量を取り出すことは容易ではなく、結局は必要以上の量を振り出して残りの錠剤、カプセルを再び容器の中に戻すこともしばしばであった。
【特許文献１】実開平５−４９６４８号公報
【発明の開示】
【発明が解決しようとする課題】
【０００３】
上述のように従来の錠剤、カプセル容器は、錠剤、カプセルを取り出す場合に、なかなか所望の数量の錠剤、カプセルが出てこなかったり、たくさん出すぎてこぼれてしまったりして、使いづらいものであった。また、一度、掌に出した余分な錠剤、カプセルを容器の中に戻すのは、手の汗などの汚れが付着して不衛生であり、錠剤、カプセルの保存においても問題があった。このため、錠剤、カプセルの取り出し作業を容易にするためにたとえば、実開平５−４９６４８号公報には図１に示すような内蓋に収納部分をもうける構造が提案開示されている。この発明は、錠剤容器に取り付けて用いる内蓋において、 錠剤容器内側から錠剤容器外側へ内蓋を貫通する錠剤通路と、内蓋の錠剤容器外側の面に位置し、上記錠剤通路との境界位置に錠剤戻り防止壁を有することによって錠剤容器内側から上記錠剤通路を経由して導出された錠剤を内蓋の錠剤容器外側に保持する錠剤保持部とを設けたものである。
図２も同公報に開示された内蓋構造であるが、いずれも構造が複雑で製造の金型制作などの面で実用性に難点があるものである。
【０００４】
図３の左側は内蓋で通常の下向きにおいたもので、右側は外蓋で上向きにおいた状態である。この内蓋はポリエチレンなどの合成樹脂製であり、その役割は錠剤、カプセル容器の気密性を高めるためのもので、錠剤、カプセルを服用するときは、外蓋及び内蓋の双方を取り外し、前述と同じようにして錠剤、カプセルを取り出していた。しかし、かような内蓋は、錠剤、カプセルの取りだし作業の容易化には何ら機能するものではなかった。なお、薬品によっては内蓋を採用しないものもある。
【０００５】
本発明は上記課題を解決し、錠剤、カプセルの任意数量の取りだし作業が容易に行える錠剤、カプセル容器の内蓋を提供することを目的とする。
【課題を解決するための手段】
【０００６】
本発明の錠剤、カプセル容器の内蓋は、図４に示したように錠剤、カプセル容器に取り付けて用いる内蓋の平面のたとえば半分の面積を切り抜いて残る半分はそのままとしたことを特徴とする。上蓋を閉めた際に切り欠きをしない残る半分との空間はポケットの構造になり、容器を転倒させて正立位に戻すとそのポケットに容積に応じた数の錠剤、もしくはカプセルが載った状態になり、容易に所望数量を取り出せるのである。かような操作で図５は糖衣錠の錠剤２個取りだし、図６はカプセル１個取り出しをした例である。
【０００７】
本発明の錠剤、カプセル容器の内蓋は、錠剤、カプセル容器内部と内蓋の外側を貫通する錠剤、カプセルの通路と収納部のポケットを設けたため、この内蓋を装着した錠剤、カプセル容器に外蓋をつけたまま、逆さまにして軽く振ることにより、錠剤、カプセル通路を経由して錠剤、カプセルが内蓋と外蓋の間のポケットに収納される。その後、ポケット側を下にした状態で錠剤、カプセル容器を静かに正立位に戻せば、ポケット部分に錠剤、もしくはカプセルが載った状態になり、容易に所望数量を取り出せるのである。医薬品の場合、限定するものではないが、おおむね大人の１回服用数量のポケット容積にするのが使い勝手上望ましい。たとえば正立位に戻す際に正面ラベル面を通路側になるように上向きに、ポケット側を下向きに（正面ラベルの背面に）なるように内蓋をセットすると都合がよいので、さようにラベルに注意書きをすることでこの便利さが享受できる。
【０００８】
図７は内蓋の断面図の一例である。左上の図は上から見た平面図、右の図は右から見た断面図、左下の図は正面から見た断面図である。たとえば、ビタミン剤糖衣錠のある種のビンの２６０錠入りは、錠剤のサイズは直径７ｍｍ、厚さ５ｍｍというものがある。ビンのサイズは外蓋の閉める部分の内部口径は３２ｍｍであり、深さは１５ｍｍである。そして大人の１回服用量は２錠である。本発明の内蓋は、通路とポケットを構成する内径は直径２９ｍｍ、ポケットの大きさはポケット高さｈできめることができ、おおむねｈが１２ｍｍだと３個、１０ｍｍだと２個の収納ができる。ｈを可変の構造にする事も可能である。ポケットの深さは、限定するものではないが、１錠は入るが２錠は入らないような内蓋の寸法を選択すると取りだし精度が上がって好ましい。すなわち錠剤の厚さが５ｍｍならば深さは９ないし１０ｍｍが適当である。しかし、限定されるものではない。
【発明の効果】
【０００９】
以上詳述したように、本発明の錠剤、カプセル容器の内蓋構造によれば、錠剤、カプセルの所望数量の取りだし作業が容易に行える。
【実施例１】
【００１０】
以上説明した本発明の構成・作用を一層明らかにするために、以下本発明の好適な実施例について説明する。藤沢薬品工業株式会社のビタミン剤「ノイビタエース」２６０錠入りは内蓋のない商品で大人の１回服用量は２錠である。錠剤の大きさは直径７ｍｍｘ厚さ５ｍｍであり、ビンのサイズは外蓋の閉める部分の内部口径は３２ｍｍであり、深さは１０ｍｍである。これに図３左側のようなポリエチレン製つばの部分の直径が３５ｍｍ内径２９ｍｍの内蓋を用意した。図４のようにナイフで平面部分を切り欠いて通路とポケットを構成するように、内径は直径２９ｍｍ、ポケット深さは９ｍｍ、ポケット高さｈを１０ｍｍとした。この内蓋を通路側をラベルの正面に、ポケット側がラベルの背面に向けて内蓋と外蓋の蓋をした。ビンには７分目ほどの錠剤が入っており、ラベルの正面が上側になるように持ってポケット側を下に向けて逆さまにし、続いて静かに反転正立に戻したところ図５のごとくかなりの高い確率で２錠取り出しができた。
【実施例２】
【００１１】
実施例１に使用したビン容器、内蓋を使用して１７ｍｍ長さＸ６ｍｍのビタミンCのカプセルで実施例１同様の試験をした。図６のごとく１錠取り出しができた。
【図面の簡単な説明】
【００１２】
【図１】従来例その１
【図２】従来例その２
【図３】内蓋と外蓋
【図４】本発明の内蓋
【図５】本発明の実施例１
【図６】本発明の実施例２
【図７】本発明の3方面の断面図
【図１】
2006036302.tif 000003
【図２】
2006036302.tif 000004
【図３】
2006036302.tif 000005
【図４】
2006036302.tif 000006
【図５】
2006036302.tif 000007
【図６】
2006036302.tif 000008
【図７】
2006036302.tif 000009